(57)【要約】【課題】  炊いた御飯が部分的に柔らかい、或いは、硬い等の炊きムラを解消し、且つ、炊飯器の組み立てが容易で量産性に好適な炊飯器を提供する。【解決手段】  炊飯器５０は、内鍋２８と内鍋２８を挿脱可能に内部に収容する本体１と中心部が開口した渦巻き状に形成された内コイル２９Ａ及び内コイル２９Ａから所定の間隔をあけて設けられた外コイル２９Ｂとを備える。本体１内部の内鍋２８底部に対向配置された誘導加熱コイル２９と、誘導加熱コイル２９と内鍋２８との間に配設された非磁性体からなるリング状の防磁板３６とを備える。内コイル２９Ａ内周端部近傍から内コイル２９Ａの中心部開口側に向かって防磁板３６を延設して、内鍋２８底部中心部近傍に供給される誘導加熱コイル２９からの交番磁界を増加させる。【選択図】          図１
2006006616.tif 000002
【特許請求の範囲】
【請求項１】
内鍋と、
前記内鍋を挿脱可能に内部に収容する本体と、
中心部が開口した渦巻き状に形成された内コイル及び前記内コイルから所定の間隔をあけて設けられた外コイルからなり、前記本体内部の前記内鍋底部に対向配置された誘導加熱コイルと、
前記誘導加熱コイルと前記内鍋との間に配設された非磁性体からなるリング状の防磁板と、
を備え、
前記防磁板を前記内コイル内周端部近傍から内コイルの中心部開口側に向かって延設して、前記内鍋底部中心部近傍に供給される前記誘導加熱コイルからの交番磁界を増加させたことを特徴とする炊飯器。
【請求項２】
内鍋と、
前記内鍋を挿脱可能に内部に収容する本体と、
中心部が開口した渦巻き状に形成された内コイル及び前記内コイルから所定の間隔をあけて設けられた外コイルからなり、前記本体内部の前記内鍋底部に対向配置された誘導加熱コイルと、
前記誘導加熱コイルと前記内鍋との間に配設された非磁性体からなるリング状の防磁板と、
を備え、
前記防磁板を前記内コイル外周端部近傍から内コイルの外周方向側に向かって延設して、前記内コイルと外コイルの間隔部分に対向する前記内鍋底部に供給される前記誘導加熱コイルからの交番磁界を増加させたことを特徴とする炊飯器。
【請求項３】
内鍋と、
前記内鍋を挿脱可能に内部に収容する本体と、
中心部が開口した渦巻き状に形成された内コイル及び前記内コイルから所定の間隔をあけて設けられた外コイルからなり、前記本体内部の前記内鍋底部に対向配置された誘導加熱コイルと、
前記誘導加熱コイルと前記内鍋との間に配設された非磁性体からなるリング状の防磁板と、
を備え、
前記防磁板を前記外コイル内周端部近傍から外コイル内周方向側に向かって延設して、前記内コイルと外コイルの間隔部分に対向する前記内鍋底部に供給される前記誘導加熱コイルからの交番磁界を増加させたことを特徴とする炊飯器。
【請求項４】
内鍋と、
前記内鍋を挿脱可能に内部に収容する本体と、
中心部が開口した渦巻き状に形成された内コイル及び前記内コイルから所定の間隔をあけて設けられた外コイルからなり、前記本体内部の前記内鍋底部に対向配置された誘導加熱コイルと、
前記誘導加熱コイルと前記内鍋との間に配設された非磁性体からなるリング状の防磁板と、
を備え、
前記防磁板を前記外コイル外周端部近傍から外コイルの外周方向側に向かって延設して、前記外コイルの外周より外側の前記内鍋底部に供給される前記誘導加熱コイルからの交番磁界を増加させたことを特徴とする炊飯器。
【請求項５】
内鍋と、
前記内鍋を挿脱可能に内部に収容する本体と、
中心部を開口したリング状に形成された内コイル及び前記内コイルから所定の間隔をあけて設けられた外コイルからなり、前記本体内部の前記内鍋底部に対向配置された誘導加熱コイルと、
前記誘導加熱コイルを保持するコイル台と、
前記誘導加熱コイルと前記内鍋との間に配設され、前記誘導加熱コイルから前記内鍋に供給される交番磁界の分布状態を調整するための非磁性体からなるリング状の防磁板と、
を備え、
前記コイル台は、前記防磁板を取り付けるための取付け部と、前記取付け部に前記防磁板を取り付けた際に前記防磁板を保持するための保持手段が設けられていることを特徴とする炊飯器。
【請求項６】
前記防磁板をフェライト、カーボン等の防磁効果のある非金属、或いはそれを含有する樹脂等で構成したことを特徴とする請求項１乃至５のいずれかに記載の炊飯器。
【請求項７】
前記防磁板が同心円状に複数設けられたことを特徴とする請求項１乃至６のいずれかに記載の炊飯器。
【請求項８】
前記リング状の防磁板は、円弧状の複数の防磁板を円形に配置して１つの防磁板が形成されていることを特徴とする請求項１乃至７のいずれかに記載の炊飯器。
【請求項９】
前記防磁板は、幅が３ｍｍ以上２０ｍｍ以下であることを特徴とする請求項１乃至８のいずれかに記載の炊飯器。
【発明の詳細な説明】
【技術分野】
【０００１】
本発明は、炊飯器に係り、更に詳しくは本体内に収納された内鍋を下部から加熱する渦巻き状に巻かれた環状の誘導加熱コイルを備えた炊飯器に関するものである。
【背景技術】
【０００２】
従来より加熱手段に誘導加熱コイルを用いたＩＨ炊飯器は、図１０に示すように上面に開口を有する本体１０１と、ヒンジ部１１７に枢支されて本体１０１に取り付けられ、本体１０１が有する開口を開閉自在に閉塞する蓋体１０２と、本体１０１の両側に渡って取り付けられたハンドル１０３などから構成されている。ヒンジ部１１７下方には後方空間部１４２が形成されており、この後方空間部１４２内にはコードを引き出し収納自在に巻回され、端部に商用交流電源に接続可能なプラグを備えたコードリール１４８が配設されている。
【０００３】
本体１０１の胴部１０１Ａは所定寸法前方に張り出し、その上部の本体１０１上面には蓋体１０２を開けるための押圧自在のフックボタン１０６及び表示部１１０が設けられている。表示部１１０には、液晶基板を備えた液晶表示器１０９が設けられており、この液晶表示器１０９に炊飯器１００の炊飯運転操作を行うための操作ボタン及び炊飯メニューや炊飯運転実行中の工程などの表示や現在時間やタイマー表示或いは炊飯メニューなどが表示される。前方に張り出した胴部１０１Ａの内部には前方空間部１４０が形成されており、この前方空間部１４０内には操作ボタンに対応して操作基板１１５が配設されると共に、電源基板１２６或いは制御装置（図示せず）等が設けられている。また蓋体１０２中央には炊飯時発生する蒸気を放出するための蒸気カートリッジ１１２が設けられている。
【０００４】
また、本体１０１内には鉄またはステンレスなどの磁性材にて構成された内鍋１２８と、内鍋１２８の下面に渦巻き状に巻かれた内コイル１２９Ａとこの内コイル１２９Ａの外側に設けられた外コイル１２９Ｂとからなる誘導加熱コイル１２９を備えている。該誘導加熱コイル１２９は、この誘導加熱コイル１２９から放出されるノイズを減少させる効果を有するコイル台１３２に保持されている。
【０００５】
このような炊飯器は、炊飯時に誘導加熱コイルに電流が流れることにより交番磁界を発生させて内鍋を誘導加熱し、これによって内鍋が発熱して内鍋内に収容した米が炊きあげられる。該誘導加熱コイルは同一の縒線が連続して密着巻きに構成されており、この誘導加熱コイルは内鍋の中心を軸として、中心部に近い内コイルとこの内コイルと所定の間隔を存して外側に配設された外コイルとから構成されていた。（特許文献１参照）
【０００６】
【特許文献１】特開２００１−１７３１４号公報
【発明の開示】
【発明が解決しようとする課題】
【０００７】
前述のような構成の炊飯器では、加熱手段としての誘導加熱コイルは内鍋の中心部に近い内コイルと、この内コイルと所定の間隔を存して外側に配設された外コイルとから構成されているため、内コイルの中心部や内コイルと外コイルとの間の誘導加熱コイルが粗に巻かれている部位、或いは、外コイルの外側など誘導加熱コイルの無い部分には磁界が達しにくく磁束密度は低かった。このため、誘導加熱コイルの無い中心部分や内コイルと外コイルとの間、或いは外コイルの外側などに対応する内鍋の温度は、コイル対向面に比較して比較的低い傾向にある。即ち、誘導加熱コイルを備えた従来の炊飯器では、炊飯開始から炊飯終了時まで温度ムラが生じる可能性があった。特に、温度センサーが配置されている内コイルの中心部は加熱されないのでその傾向が顕著となり、このため、炊きあがった御飯が部分的に柔らかい、或いは、硬い等の炊きムラが発生する原因となることがあった。
【０００８】
また、炊飯工程中に沸騰が開始すると内鍋内表面から気泡が発生するが、周知の通り内鍋を誘導加熱する誘導加熱コイル対向部分近傍から先に沸騰して、そこに気泡が発生し上昇する。そして、炊飯時の特徴として沸騰が開始して最初に気泡が上方に通りぬけた対流経路が、炊飯終了時まで気泡及び蒸気の通り道となる確率が高い。このような理由から、従来の炊飯器は、炊飯時に沸騰ムラを生じさせる原因となることがあった。このため、最終的な御飯の炊きあがりで、炊きムラが生じてしまったり、炊きあがった御飯の表面に対流経路による凹凸が発生することがあった。
【０００９】
また、内コイルの中心部の温度が低くなってしまうのを防止するため、仮に内コイルを中心部まで巻いた場合は、同一の縒線が連続して密着巻きされているため、部分的に磁界に強弱を付けることは不可能である。このため、磁界を強くしたい部分、即ち、内コイルの中心部の磁束密度が必要以上に高くなり、逆に温度ムラが大きくなってしまう。そこで、温度ムラを解消しようとして同一の縒線を密着巻きした誘導加熱コイルの粗密の度合いを調整し、粗巻きの部分を多くするとコイル自体がばらけてしまうなどの不都合が発生する。このような場合、炊飯器が組み立て難くなり、量産性に欠けてしまうという問題があった。
【００１０】
本発明は、前記課題に鑑み為されたものであり、加熱ムラを解消するために加熱状態を調整することができ、且つ、炊飯器の組み立てが容易で量産性に好適な炊飯器を提供することを目的とする。
【課題を解決するための手段】
【００１１】
前記目的を達成するために、本発明にかかる炊飯器は、内鍋と、前記内鍋を挿脱可能に内部に収容する本体と、中心部が開口した渦巻き状に形成された内コイル及び前記内コイルから所定の間隔をあけて設けられた外コイルからなり、前記本体内部の前記内鍋底部に対向配置された誘導加熱コイルと、前記誘導加熱コイルと前記内鍋との間に配設された非磁性体からなるリング状の防磁板とを備え、前記防磁板を前記内コイル内周端部近傍から内コイルの中心部開口側に向かって延設して、前記内鍋底部中心部近傍に供給される前記誘導加熱コイルからの交番磁界を増加させたことを特徴とする。
【００１２】
また、本発明にかかる炊飯器は、内鍋と、前記内鍋を挿脱可能に内部に収容する本体と、中心部が開口した渦巻き状に形成された内コイル及び前記内コイルから所定の間隔をあけて設けられた外コイルからなり、前記本体内部の前記内鍋底部に対向配置された誘導加熱コイルと、前記誘導加熱コイルと前記内鍋との間に配設された非磁性体からなるリング状の防磁板とを備え、前記防磁板を前記内コイル外周端部近傍から内コイルの外周方向側に向かって延設して、前記内コイルと外コイルの間隔部分に対向する前記内鍋底部に供給される前記誘導加熱コイルからの交番磁界を増加させたことを特徴とする。
【００１３】
また、本発明にかかる炊飯器は、内鍋と、前記内鍋を挿脱可能に内部に収容する本体と、中心部が開口した渦巻き状に形成された内コイル及び前記内コイルから所定の間隔をあけて設けられた外コイルからなり、前記本体内部の前記内鍋底部に対向配置された誘導加熱コイルと、前記誘導加熱コイルと前記内鍋との間に配設された非磁性体からなるリング状の防磁板とを備え、前記防磁板を前記外コイル内周端部近傍から外コイル内周方向側に向かって延設して、前記内コイルと外コイルの間隔部分に対向する前記内鍋底部に供給される前記誘導加熱コイルからの交番磁界を増加させたことを特徴とする。
【００１４】
更に、本発明にかかる炊飯器は、内鍋と、前記内鍋を挿脱可能に内部に収容する本体と、中心部が開口した渦巻き状に形成された内コイル及び前記内コイルから所定の間隔をあけて設けられた外コイルからなり、前記本体内部の前記内鍋底部に対向配置された誘導加熱コイルと、前記誘導加熱コイルと前記内鍋との間に配設された非磁性体からなるリング状の防磁板とを備え、前記防磁板を前記外コイル外周端部近傍から外コイルの外周方向側に向かって延設して、前記外コイルの外周より外側の前記内鍋底部に供給される前記誘導加熱コイルからの交番磁界を増加させたことを特徴とする。
【００１５】
更にまた、本発明にかかる炊飯器は、内鍋と、前記内鍋を挿脱可能に内部に収容する本体と、中心部を開口したリング状に形成された内コイル及び前記内コイルから所定の間隔をあけて設けられた外コイルからなり、前記本体内部の前記内鍋底部に対向配置された誘導加熱コイルと、前記誘導加熱コイルを保持するコイル台と、前記誘導加熱コイルと前記内鍋との間に配設され、前記誘導加熱コイルから前記内鍋に供給される交番磁界の分布状態を調整するための非磁性体からなるリング状の防磁板とを備え、前記コイル台は、前記防磁板を取り付けるための取付け部と、前記取付け部に前記防磁板を取り付けた際に前記防磁板を保持するための保持手段が設けられていることを特徴とする。
【発明の効果】
【００１６】
本発明によれば、誘導加熱コイルから発生する磁界を歪めて、内鍋に供給する交番磁界の分布状態を調整することが可能となり、内鍋の誘導加熱コイルが粗に巻かれている部分、或いは、誘導加熱コイルが配設されていない部分に対向する部位に、例えば従来の炊飯器よりも高い磁束密度の磁界を供給することができるようになる。従って、内鍋の温度分布、ひいては内鍋内の飯温の温度分布を均一にすることができ、炊きムラ等を解消し、美味しい御飯を炊くことができるようになる。
【００１７】
また、コイル台に防磁板を取り付けるための取付け部と、取付け部に防磁板を取り付けた際に防磁板を保持するための保持手段が設けられている構成によれば、非磁性体からなる防磁板により、誘導加熱コイルから発生する磁界を歪めて、内鍋に供給される交番磁界の分布状態を調整することができ、炊飯器の組み立て作業性を大幅に向上させることができるようになるものである。
【発明を実施するための最良の形態】
【００１８】
実施の形態１．
以下、本発明の一実施形態に基づき、本発明を詳しく説明する。図１は本発明の一実施形態における炊飯器５０の縦断側面図、図２は本発明の一実施形態における炊飯器５０を構成するコイル台３２の平面図、図３は本発明の一実施形態における炊飯器５０を構成する内鍋２８の縦断面図、図４は同図３の一実施形態における炊飯器５０を構成する内鍋２８の底面図、図５は本発明の一実施形態における炊飯器５０を構成するコイル台３２の縦断側面図をそれぞれ示している。
【００１９】
本実施形態における炊飯器５０は、図１に示すように上面に開口を有し、鉄またはステンレスなどの磁性材にて構成された内鍋２８が収容される本体１と、この本体１の開口を開閉自在に取り付けられ、炊飯時に発生する蒸気を放出するための蒸気カートリッジ１２が設けられた蓋体２、及び、本体１の胴部１Ａ両側に渡って取り付けられたハンドル３などにて構成されている。
【００２０】
該本体１の胴部１Ａは、所定寸法前方に張り出し、その上部に炊飯器５０の炊飯運転操作を行うための操作ボタン及び炊飯メニューや炊飯運転実行中の工程などの表示を行う液晶にて構成された表示部１０が設けられている。この表示部１０には液晶基板を備えた液晶表示器９が設けられており、この液晶表示器９に現在時間やタイマー表示或いは炊飯メニューなどが表示される。前方に張り出した胴部１Ａの内部には前方空間部４０が形成されており、この前方空間部４０内には操作ボタンに対応して操作基板１５が配設され、その裏面に制御装置（図示せず）が設けられている。またその下方には、電源基板２６が設けられている。
【００２１】
また、胴部１Ａには蓋体２近傍に当該蓋体２を開くための押圧自在のフックボタン６が設けられており、胴部１Ａの後部には蓋体２を開閉可能に枢支するためのヒンジ部１７が設けられている。ヒンジ部１７下方には後方空間部４２が形成されており、この後方空間部４２内のヒンジ部１７近傍には肩部材１８が設けられている。また、肩部材１８下方の後方空間部４２内にはコードが引き出し収納自在に巻回され、端部に商用交流電源に接続可能なプラグを備えたコードリール４８が配設されている。
【００２２】
また、本体１内部の内鍋２８底部に対向して誘導加熱コイル２９が配設されており、この誘導加熱コイル２９は、密着して複数回若しくは十数回渦巻き状に巻かれ、中心部が開口した内コイル２９Ａと、この内コイル２９Ａから所定の間隔を存して外側に設けられ、これもまた密着して複数回若しくは十数回渦巻き状に巻かれた外コイル２９Ｂとから構成されている。該内コイル２９Ａと外コイル２９Ｂとは一本のコイルにて構成されると共に、内コイル２９Ａと外コイル２９Ｂとの間は約１／４周から約一周コイルが粗に巻かれた部分を有している。
【００２３】
これらの内コイル２９Ａと外コイル２９Ｂは、コイル台３２に保持されている。該コイル台３２の略中心部には、貫通孔が設けられており、この中心部にはコイルバネ２１によって常時内鍋２８に押圧されると共に、内鍋２８底の温度を検知する温度センサー２０が所定寸法コイル台３２より突出している。
【００２４】
該コイル台３２は図２に示すように、リング状の防磁板３６を複数枚備えている。この防磁板３６はフェライトやカーボン等の防磁効果のある非金属材料、或いは、フェライトやカーボン等の防磁効果のある非金属材料を含有した樹脂等にて構成されている。該防磁板３６は厚さ約０．５ｍｍ〜３．０ｍｍ、幅約３ｍｍ〜２０ｍｍ、好ましくは幅約５ｍｍ〜１５ｍｍに形成されている。この防磁板３６によって、誘導加熱コイル２９（内コイル２９Ａと外コイル２９Ｂ）から発生する磁界を歪められるように構成している。
【００２５】
この複数枚の防磁板３６は、内防磁板３６Ａと中防磁板３６Ｂと外防磁板３６Ｃとから構成されており、内防磁板３６Ａは、温度センサー２０と内コイル２９Ａとの間となる位置に配設され、中防磁板３６Ｂは、内コイル２９Ａと外コイル２９Ｂとの間となる位置に配設され、外防磁板３６Ｃは、外コイル２９Ｂの外側となる位置に配設されている。これら複数の内防磁板３６Ａと中防磁板３６Ｂと外防磁板３６Ｃとをリング状に形成した内コイル２９Ａの開口中心部を中心として略同心円状に設けている。即ち、内防磁板３６Ａは図３、図４に示すように内鍋２８の略中心底面に位置する。尚、図２では内コイル２９Ａ、中コイル２９Ｂ及び外コイル２９Ｃを図示していない。また、図３、図４では中防磁板３６Ｂと外防磁板３６Ｃを図示していない。
【００２６】
詳しくは、防磁板３６は図５に示すように、内防磁板３６Ａは内コイル２９Ａに所定寸法重合して配設され、中防磁板３６Ｂも内コイル２９Ａに所定寸法重合し、外防磁板３６Ｃは外コイル２９Ｂに所定寸法重合している。このように各防磁板３６（内防磁板３６Ａ、中防磁板３６Ｂ、外防磁板３６Ｃ）を誘導加熱コイル２９に所定寸法重合させることにより、効率よく磁界を歪められるように構成している。
【００２７】
即ち、通電されて内コイル２９Ａ及び外コイル２９Ｂから発生する磁界を各防磁板３６で歪めて、誘導加熱コイル２９が配設されていない内コイル２９Ａの中心部分や外コイル２９Ｂの外側部分及び内コイル２９Ａと外コイル２９Ｂとの間となるコイルが粗に巻かれた部分にも磁界を供給できるように構成している。このように防磁板３６を誘導加熱コイル２９の近傍に配設して、誘導加熱コイル２９から発生する磁界を歪めることにより、誘導加熱コイル２９が配設されていない部分及び内コイル２９Ａと外コイル２９Ｂとの間となるコイルが粗に巻かれた部分に高い磁束密度の磁界を供給して、内鍋２８底部全体の磁束密度が均一になるように構成している。これにより、炊飯中の内鍋２８内の温度ムラを解消し、内鍋２８内の温度を均一にして炊きムラを無くし、御飯を美味しく炊くことができるようにしている。
【００２８】
ここで、防磁板３６の幅が５ｍｍより小さくなって行くと誘導加熱コイル２９から発生する磁界を歪める効果が減少して行き、幅が３ｍｍより小さくなると十分な効果がなくなってしまう。また、逆に幅が１５ｍｍより大きくなって行くと磁界を防磁する効果のほうが大きくなって行き、誘導加熱コイル２９が粗に巻かれている部位、或いは、誘導加熱コイル２９が配設されていない部位に対向する内鍋２８底部に磁界を供給し難くなって行き、幅が２０ｍｍより大きくなると、防磁効果に阻害されて十分な磁界を供給できなくなってしまう。このため、防磁板３６の幅を３ｍｍ以上２０ｍｍ以下、好ましくは５ｍｍ以上１５ｍｍ以下に構成している。
【００２９】
一方、前記コイル台３２には図６に示すように防磁板３６を取り付けるための取付け部３３が設けられており、この取付け部３３は防磁板３６の幅と略同等で凹陥形成されると共に、コイル台３２の内鍋２８側の面に設けられている。この取付け部３３は、防磁板３６が収納された状態で取付け部３３の上面と防磁板３６の上面が略面一になる深さに凹陥形成されている。即ち、コイル台３２には内防磁板３６Ａに対応して内取付部３３Ａ、中防磁板３６Ｂに対応して中取付部３３Ｂ、外防磁板３６Ｃに対応して外取付部３３Ｃがそれぞれ凹陥形成されている。これらの内取付部３３Ａは内防磁板３６Ａに対して、中取付部３３Ｂは中防磁板３６Ｂに対して、外取付部３３Ｃは外防磁板３６Ｃに対して僅か大きめに形成されている。
【００３０】
以下図２に示す中防磁板３６Ｂを例に説明する。尚、中取付部３３Ｂの幅方向一方は、内コイル２９Ａ外周端部に少許重合させると共に、中取付部３３Ｂの幅方向他方は内コイル２９Ａと外コイル２９Ｂとの略中間位置、或いは、中間より僅か内コイル２９Ａ側に位置するものとする。コイル台３２には中防磁板３６Ｂを保持するための所定幅のツメ部３４（本発明の保持手段に相当）が設けられており、このツメ部３４は中取付部３３Ｂの側縁周囲の一側から他側方向（この場合、ツメ部３４を中取付部３３Ｂの外周側から内周方向へ延在させている）に所定寸法延在して設けられると共に、少なくとも中取付部３３Ｂ周囲に略等間隔で３箇所設けている。それらの各ツメ部３４の先端は中防磁板３６Ｂの外周よりも小円となるように形成されている。該ツメ部３４は、中取付部３３Ｂ内に中防磁板３６Ｂが収納された状態で、中防磁板３６Ｂを中取付部３３Ｂの上側から中取付部３３Ｂ内に保持可能に構成されている。尚、実施例では中取付部３３Ｂの一側周囲に略等間隔でツメ部３４を４箇所（図２に図示）設けている。
【００３１】
そして、中防磁板３６Ｂを中取付部３３Ｂ内に取り付ける場合は、中取付部３３Ｂ内に耐高温性接着剤（この場合シリコン系接着剤）を所定量塗布した後、コイル台３２を少許変形させてツメ部３４内側の中取付部３３Ｂ内に中防磁板３６Ｂを挿入するか、中取付部３３Ｂ内に中防磁板３６Ｂを圧入（この場合、各ツメ部３４は中防磁板３６Ｂを圧入可能な寸法にしておく必要がある）する。これにより、中防磁板３６Ｂはツメ部３４に保持されるが、接着剤は直ぐに硬化しないので、接着剤が硬化されるまでの所定時間、中防磁板３６Ｂを中取付部３３Ｂ内にツメ部３４で動かないように保持しておくことができる。即ち、中防磁板３６Ｂをツメ部３４と接着剤との併用により中取付部３３Ｂ内に保持固定している。
【００３２】
これにより、中取付部３３Ｂ内に中防磁板３６Ｂを挿入後、接着剤が硬化する以前に直ちに次の作業を行った場合でも、中防磁板３６Ｂが中取付部３３Ｂ内から脱落してしまうなどの不都合を防止することができるので、中防磁板３６Ｂの取り付け作業を大幅に向上させることができる。尚、実施例ではツメ部３４を中取付部３３Ｂの側縁周囲の外側から内側方向に延在させているが、ツメ部３４を中取付部３３Ｂの側縁周囲の内側から外側方向に延在させても同様の効果を得ることができる。また、図２ではツメ部３４を中取付部３３Ｂに設けているが、内取付部３３Ａ及び外取付部３３Ｃに中取付部３３Ｂ同様にツメ部３４を設け、内取付部３３Ａに内防磁板３６Ａ及び外取付部３３Ｃ内に外防磁板３６Ｃを固定しても同様の効果を得ることができる。
【００３３】
係るコイル台３２に、防磁板３６を保持するためのツメ部３４を設けているので、コイル台３２に設けたツメ部３４と接着剤とで防磁板３６を固定すれば、接着剤が硬化する以前のコイル台３２を用いて炊飯器５０を製造することができる。これにより、接着剤が硬化するまでの待ち時間も解消できるうえ、接着剤を硬化させるために炊飯器５０を設置しておくスペースも必要としないので炊飯器５０の組み立て作業性を大幅に向上させることができる。また、単なるツメ部３４だけで防磁板３６を固定した場合、コイル台３２と防磁板３６とに隙間ができ、異音が発生するなどの不都合も考えられるが、防磁板３６をツメ部３４と接着剤とで固定しているので、異音が発生するような不都合も防止することができ、炊飯器５０の大幅な品質向上を図ることができるようになるものである。
【００３４】
また、上述の説明ではツメ部３４を中取付部３３Ｂの側縁周囲の外側から内側方向に延在させたが、ツメ部３４を中取付部３３Ｂの側縁周囲の外側から内側方向に延在させると共に内側から外側方向に対向して設けても良い（図６に図示）。この場合、中防磁板３６Ｂにそれらの対応する箇所にツメ部３４と略同等の切欠き（図示せず）を設ければ、切欠きをツメ部３４に合わせて中防磁板３６Ｂを中取付部３３Ｂ内に挿入した後、左右に僅か回転させるだけで各ツメ部３４で中防磁板３６Ｂを中取付部３３Ｂに保持することができる。これにより、コイル台３２を少許変形させることなく中取付部３３Ｂ内に中防磁板３６Ｂを挿入することができる。これにより、防磁板３６の取り付け作業性を大幅に改善することができ、防磁板３６取り付け作業のコストを削減することができるようになる。尚、中防磁板３６Ｂに設けた切欠きは、中取付部３３Ｂの側縁周囲の外側から内側方向に片側だけ設けたツメ部３４に対しても有効であることが言うまでもない。
【００３５】
尚、ツメ部３４とツメ部３４との間の中取付部３３Ｂ内に中防磁板３６Ｂを少許ツメ部３４側に押し上げられる図示しない突起、或いは、ツメ部３４に対応する位置の中防磁板３６Ｂにツメ部３４側に突出する突起を設けても差し支えない。該中防磁板３６Ｂに設ける突起は円周方向一側を中防磁板３６Ｂの面に接する傾斜を設け、他側を中防磁板３６Ｂの面に対して直角にしておけば、直角側が滑らず傾斜側から容易に押すことができるので、突起を円滑にツメ部３４の下に挿入することができる。これにより、中防磁板３６Ｂは突起によりツメ部３４に押圧されるので、中取付部３３Ｂ内に挿入した中防磁板３６Ｂをガタなく確実に保持することができる。従って、間中防磁板３６Ｂが動いて異音が発生してしまうなどの不都合を確実に防止することができる。
【００３６】
このように、炊飯器５０には、本体１内部の内鍋２８底部に対向配置された誘導加熱コイル２９と、誘導加熱コイル２９と内鍋２８との間に非磁性体からなるリング状の防磁板３６を配設している。そして、内コイル２９Ａ内周端部近傍から内コイル２９Ａの中心部開口側に向かって延設させた防磁板３６によって、内鍋２８の底部中心部近傍に供給される誘導加熱コイル２９からの交番磁界を増加させられるので、誘導加熱コイル２９が粗に巻かれている部位となる内コイル２９Ａと中コイル２９Ｂとの間、或いは、誘導加熱コイル２９が配設されていない部位となる内コイル２９Ａの開口した中心部及び中コイル２９Ｂの外側（内コイル２９Ａと中コイル２９Ｂとの間のコイルの無い部分を含む）に対向する内鍋２８の内鍋２８底部中心部近傍に従来の炊飯器よりも高い磁束密度の磁界を供給することができる。これにより、従来炊飯中に温度が低くなりがちであった内鍋２８の底部中心部近傍の温度と、内鍋２８の誘導加熱コイル２９と対向した部位の温度との温度差を小さくすることができる。従って、内鍋２８の温度分布、ひいては内鍋２８内の御飯の温度分布の均一化を図ることができ、炊きムラ等を解消し、美味しい御飯を炊くことができるようになる。
【００３７】
また、炊飯時には、内鍋２８に入れた水が沸騰を開始し、沸騰により発生した気泡が最初に通りぬけた経路が炊飯終了時まで気泡、蒸気の通り道となる確率が高い。しかし、本発明では、誘導加熱コイル２９が粗に巻かれている部位、或いは、誘導加熱コイル２９が配設されていない部位に対向する内鍋２８の底部中心部近傍部分に磁界を供給することができるので、従来の炊飯器で温度が比較的低かった内鍋２８の底部中心部近傍部分においても沸騰させることができる。これにより、沸騰時の気泡、蒸気の通り道がそこにもでき易くなり、温度ムラ、或いは、沸騰ムラも解消することが可能となる。従って、炊きあがりにおいて、炊きムラ、更には炊きあがった御飯の表面に凹凸がなくなり、見た目にも炊きあがりが美しく美味しい御飯を炊くことができるようになる。
【００３８】
また、防磁板３６をフェライトやカーボン等の防磁効果のある非金属材料、或いは、フェライトやカーボン等の防磁効果のある非金属材料を含有した樹脂等にて構成している。これにより、誘導加熱コイル２９からの交番磁界によって防磁板３６が加熱されてしまうことがないため、加熱に必要なエネルギーを無駄に消費することなく、磁界だけを所定の方向に歪めて、内鍋２８に供給される交番磁界の分布状態を調整することができる。また、誘導加熱コイル２９からの交番磁界によって防磁板３６が加熱してしまうのを防止することができるので、磁界だけを誘導加熱コイル２９が粗に巻かれている部位方向、或いは、誘導加熱コイル２９が配設されていない部位方向に効率よく歪めることができる。従って、炊飯中の内鍋２８内の飯温の温度分布を均一にして炊きムラ等を解消することができるので美味しい御飯を炊くことができる。また、防磁板３６をフェライトやカーボン等の防磁効果のある非金属材料、或いは、フェライトやカーボン等の防磁効果のある非金属材料を含有した樹脂等にて構成しているので、例えば金属の打ち抜きにより防磁板３６を構成した場合と比べて材料の無駄が少なく、コストメリットを大幅に向上することができる。
【００３９】
また、図示しないが前記中取付部３３Ｂの幅方向一方を、内コイル２９Ａ外周端部に少許重合させると共に、中取付部３３Ｂの幅方向他方は内コイル２９Ａと外コイル２９Ｂとの略中間位置、或いは、中間より僅か内コイル２９Ａ側に位置させたが、中取付部３３Ｂの幅方向一方を、外コイル２９Ｂ外周端部に少許重合させると共に、中取付部３３Ｂの幅方向他方を内コイル２９Ａと外コイル２９Ｂとの略中間位置、或いは、中間より僅か外コイル２９Ｂ側に位置させても良い。これにより、前述同様の効果を得ることができる。
【００４０】
実施の形態２．
本実施形態における炊飯器５０は、前述の実施の形態と略同じ構成を有している。以下、異なる部分について説明する。尚、前述の実施の形態と同じ部分にはこれと同じ符号を付し、説明を省略する。以下外防磁板３６Ｃを例に説明する。図２に示すように、防磁板３６を外コイル２９Ｂ外周端部近傍から外コイル２９Ｂの外周方向側に向かって延設している。これにより、外コイル２９Ｂの外周より外側の内鍋２８底部に供給される誘導加熱コイル２９からの交番磁界を増加させることができるので、誘導加熱コイル２９が配設されていない部位である外コイル２９Ｂの外周より外側の内鍋２８底部に従来の炊飯器よりも高い磁束密度の磁界を供給することができる。従って、炊飯中に温度が低くなりがちであった外コイル２９Ｂの外周より外側の内鍋２８底部の温度と、内鍋２８の誘導加熱コイル２９と対向した部位の温度との温度差を小さくすることができ、内鍋２８の温度分布、ひいては内鍋２８内の飯温の温度分布を均一にすることができ、炊きムラ等を解消し、美味しい御飯を炊くことができる。
【００４１】
実施の形態３．
本実施形態における炊飯器５０は、前述の実施の形態と略同じ構成を有している。以下、異なる部分について説明する。尚、前述の各実施の形態と同じ部分にはこれと同じ符号を付し、説明を省略する。図７は、本発明の他の一実施形態の炊飯器５０を構成する防磁板３６の固定構造を示す図である。
【００４２】
以下図２に示す外防磁板３６Ｃを例に説明する。この場合、図７に示すように外防磁板３６Ｃには外防磁板３６Ｃを貫通する所定の孔径の貫通孔３７が複数設けられており、この貫通孔３７は外防磁板３６Ｃの円周方向に略等間隔で４箇所設けられている。また、コイル台３２の外取付部３３Ｃ内には複数の貫通穴３５が設けられており、この貫通穴３５は、外防磁板３６Ｃに設けた各貫通孔３７に対応して設けられている。該各貫通孔３７及び貫通穴３５は、２ｍｍ〜４ｍｍのアルミニウム等のリベット３９を挿入可能な孔径にて構成されている。
【００４３】
そして、外防磁板３６Ｃを外取付部３３Ｃ内に取り付ける場合は、外取付部３３Ｃ内に前述同様の耐高温性接着剤を所定量塗布した後、外防磁板３６Ｃに設けた各貫通孔３７とコイル台３２の外取付部３３Ｃ内に設けた貫通穴３５を一致させ、コイル台３２側から外取付部３３Ｃ内に設けた各貫通穴３５と外防磁板３６Ｃに設けた各貫通孔３７にリベット３９を挿入し、外防磁板３６Ｃ側からリベット３９のカシメを行う。これにより、外防磁板３６Ｃは外取付部３３Ｃ内に接着剤とリベット３９との併用にて固定される。即ち、外防磁板３６Ｃはリベット３９にてコイル台３２の外取付部３３Ｃ内に固定されるが、接着剤が硬化すれば更に確実に外防磁板３６Ｃを外取付部３３Ｃ内に固定することができる。尚、リベット３９にて外防磁板３６Ｃをガタ付きなく確実にコイル台３２の外取付部３３Ｃ内に固定することができれば接着剤は併用しなくても差し支えない。
【００４４】
これにより、外取付部３３Ｃ内に外防磁板３６Ｃを挿入後、接着剤が硬化する以前に直ぐ次の作業を行った場合でも、外防磁板３６Ｃが外取付部３３Ｃ内から脱落してしまうなどの不都合を確実に防止することができるので、外防磁板３６Ｃの取り付け作業を大幅に向上させることができるようになる。尚、図２では外取付部３３Ｃ内に複数の貫通穴３５、外防磁板３６Ｃに複数の貫通孔３７を設けたが、内取付部３３Ａ及び中取付部３３Ｂに貫通穴３５、内防磁板３６Ａ及び中防磁板３６Ｂに貫通孔３７を設け、リベット３９で固定しても前述同様の効果を得ることができる。
【００４５】
また、防磁板３６ツメ部３４とリベット３９の双方で固定、或いは、内取付部３３Ａに防磁板３６をリベット３９固定、中取付部３３Ｂに防磁板３６をツメ部３４固定、外取付部３３Ｃに防磁板３６をリベット３９固定など組み合わせを変えて固定しても前述同様の効果を得ることができるのは言うまでもない。
【００４６】
実施の形態４．
本実施形態における炊飯器５０は、前述の実施の形態と略同じ構成を有している。以下、異なる部分について説明する。尚、前述の各実施の形態と同じ部分にはこれと同じ符号を付し、説明を省略する。図８は、本発明の他の一実施形態の炊飯器５０を構成する防磁板３６の平面図である。
【００４７】
防磁板３６は、図８に示すようにリング状の防磁板３６を複数に分割している。この場合、リング状の防磁板３６を分割して２個の円弧状の湾曲防磁板３８に分けている。即ち、円弧状の湾曲防磁板３８を２個組み合わせることにより、リング状の防磁板３６を形成している。これにより、誘導加熱コイル２９からの交番磁界によって防磁板３６に渦電流を発生し難くすることができるので、加熱に必要なエネルギーを無駄に消費することを防止できる。また、リング状の防磁板３６を複数に分割して小さくすることにより、防磁板３６の作製や取り扱いが容易となり、組み立て作業性を大幅に向上させることができ、炊飯器５０のコストを抑えることができる。
【００４８】
以下外防磁板３６Ｃと実施形態１のツメ部３４が設けられた中取付部３３Ｂを例に、湾曲防磁板３８の取り付け方を説明する。尚、湾曲防磁板３８も３箇所のツメ部３４、２個の湾曲防磁板３８では６箇所設けるのが脱落を防止することができるので好ましい。そして、中取付部３３Ｂ内に前述同様の耐高温性接着剤を所定量塗布した後、コイル台３２を少許変形させてツメ部３４内側の中取付部３３Ｂ内に挿入すれば、前述同様接着剤とツメ部３４とで固定することができる。
【００４９】
このように、円弧状の２個の湾曲防磁板３８を円形に配置して１つの防磁板３６を形成しているので、防磁板３６に渦電流が発生し難くすることができ、加熱に必要なエネルギーを無駄に消費することを防止できる。また、防磁板３６の作製や取り扱いが容易となり、組み立て作業性を大幅に向上させることができ、炊飯器のコストを抑えることができる。また、内鍋２８の中心を軸として２個に分割した湾曲防磁板３８と湾曲防磁板３８とで円形に配置しているので、誘導加熱コイル２９から発生する磁界を歪めて磁界の分布を調整することができる。また、略半円弧状の湾曲防磁板３８と湾曲防磁板３８とから防磁板３６を構成しているので、前述同様の効果を得ることができると同時に、防磁板３６の自身の磁界の影響による発熱量を調整することができる。
【００５０】
また、ツメ部３４とツメ部３４との間の中取付部３３Ｂに湾曲防磁板３８をツメ部３４側に少許押し上げられる図示しない突起、或いは、ツメ部３４とツメ部３４との間の中防磁板３６Ｂに突起を設けても良い。これにより、湾曲防磁板３８は突起によりツメ部３４側に押圧されるので、中取付部３３Ｂ内に挿入した湾曲防磁板３８をガタなく確実に保持することができる。従って、湾曲防磁板３８が動いて異音が発生してしまうなどの不都合を確実に防止することができる。
【００５１】
また、湾曲防磁板３８にリベット３９を挿入可能な貫通孔３７を複数設けると共に、コイル台３２の中取付部３３Ｂ内に湾曲防磁板３８に設けた各貫通孔３７に対応する貫通穴３５を設けて、耐高温性接着剤とリベット３９とを併用して、コイル台３２に固定しても良い。これにより、前述同様の効果を得ることができる。尚、内防磁板３６Ａ、及び、外防磁板３６Ｃを同様に構成しても同様の効果を得られるのは言うまでもない。
【００５２】
実施の形態５．
本実施形態における炊飯器５０は、前述の各実施の形態と略同じ構成を有している。以下、異なる部分について説明する。尚、前述の各実施の形態と同じ部分にはこれと同じ符号を付し、説明を省略する。図９は、本発明の他の一実施形態の炊飯器を構成する防磁板３６の平面図である。
【００５３】
防磁板３６は、図９に示すようにリング状の防磁板３６を複数に分割している。この場合、リング状の防磁板３６を分割して３個の円弧状の湾曲防磁板３８に分けている。即ち、円弧状の湾曲防磁板３８を３個組み合わせることにより、リング状の防磁板３６を形成している。これにより、誘導加熱コイル２９からの交番磁界によって更に防磁板３６に渦電流を発生し難くすることができるので、加熱に必要なエネルギーを無駄に消費することを防止できる。また、リング状の防磁板３６を複数に分割して小さくすることにより、防磁板３６の作製や取り扱いが更に容易となり、組み立て作業性を大幅に向上させることができ、炊飯器５０のコストを抑えることができる。
【００５４】
以下外防磁板３６Ｃと実施形態１のツメ部３４が設けられた中取付部３３Ｂを例に、湾曲防磁板３８の取り付け方を説明する。尚、湾曲防磁板３８も３箇所のツメ部３４、３個の湾曲防磁板３８では９箇所設けるのが脱落を防止することができるので好ましい。そして、中取付部３３Ｂ内に前述同様の耐高温性接着剤を所定量塗布した後、コイル台３２を少許変形させてツメ部３４内側の中取付部３３Ｂ内に挿入すれば、前述同様接着剤とツメ部３４とで固定することができる。
【００５５】
これにより、２個の湾曲防磁板３８に対して組み立て作業性を更に向上させることができる。従って、炊飯器５０のコストが高騰してしまうのを抑えることができる。また、防磁板３６を２個の湾曲防磁板３８に対して更に小さくすることができるので、防磁板３６を任意の大きさに調整することにより防磁板３６自身の磁界の影響による発熱量を更に容易に調整することができ、然も、防磁板３６の取り扱いを向上することができる。他前述同様の効果を得ることができる。
【００５６】
尚、本発明は誘導加熱コイルを間隙を空けて複数配置し、この間隙又はこの間隙近傍に分割、或いは、環状（リング状）の磁束変調板（銅、アルミニウム、銀、金等からなる磁束変調板としての非磁性金属材）を配置して、誘導加熱コイルによる容器の共振周波数又は共振周波数の整数倍と一致または近傍になり容器内の水に超音波が発生する電磁誘導加熱調理器にも有効である。即ち、本発明は複数の誘導加熱コイルから発生する交番磁界を非磁性金属材により反射して、米などの被加熱物を収納する容器を振動させることにより、容器内に超音波を発生させ被加熱物の調理時間を短縮させる電磁誘導加熱調理器の非磁性金属材を固定する場合に対しても有効である。
【００５７】
また、実施例では、防磁板３６を押さえ込んで保持するためのツメ部３４を、取付け部３３の側縁周囲の一側から他側方向に所定寸法延在して設けたが、ツメ部３４は取付け部３３の側縁周囲の一側から他側方向に所定寸法延在して設けなくても、防磁板３６を保持できれば取付け部３３の一側の側壁から反対側の側壁方向に突出する嵌合リブを所定の間隔で設けても差し支えない。この場合、防磁板３６の内側、或いは、外側を嵌合リブに嵌合圧入させるだけで、防磁板３６を保持することができるので、極めて簡単に防磁板３６を取り付けることができる。従って、防磁板３６取り付け作業性を大幅に改善することができ、防磁板３６取り付け作業性をコストを削減することができるようになる。尚、防磁板３６を嵌合リブに嵌合させる際、防磁板３６の嵌合面を湾曲させることにより、防磁板３６で嵌合リブを削ってしまうこともなくなり、防磁板３６を嵌合リブに嵌合させ易くなり極めて便利である。
【００５８】
また、防磁板３６側近傍に所定寸法突出するボスをコイル台３２の設け、このボスを焼きカシメやプレスカシメ或いは超音波溶着固定などを行って防磁板３６をコイル台３２に固定しても差し支えない。これにより、防磁板３６を取付け部３３に挿入する取り付け作業性を大幅に改善することができるので、防磁板３６の取り付け作業コストを極めて削減することができる。
【００５９】
また、リベット３９の代わりに防磁板３６に設けた貫通穴３５から所定寸法突出するボスをコイル台３２に設け、このボスを焼きカシメやプレスカシメ或いは超音波固定などによって防磁板３６をコイル台３２に固定しても差し支えない。これにより、防磁板３６の取り付け作業性を大幅に改善することができ、防磁板３６の取り付け作業コストを極めて削減することができる。
【００６０】
また、本発明は上記実施例のみに限定されるものではなく、この発明の趣旨から逸脱しない範囲で各種の変更を行っても本発明は有効である。
【図面の簡単な説明】
【００６１】
【図１】本発明の一実施形態における炊飯器の縦断側面図である（実施例１）。
【図２】本発明の一実施形態における炊飯器を構成するコイル台の平面図である。
【図３】本発明の一実施形態における炊飯器を構成する内鍋の縦断面図である。
【図４】同図３の一実施形態における炊飯器を構成する内鍋の底面図である。
【図５】同図２の一実施形態における炊飯器を構成するコイル台の縦断側面図である。
【図６】本発明の一実施形態における炊飯器を構成する防磁板の固定構造（ツメ部及び接着剤による固定）を示す図である。
【図７】本発明の一実施形態における炊飯器を構成する防磁板の固定構造（リベット固定）を示す図である。
【図８】本発明の一実施形態における炊飯器を構成する防磁板の平面図である。
【図９】本発明の一実施形態における炊飯器を構成する防磁板の平面図である。
【図１０】従来の炊飯器の縦断側面図である。
【符号の説明】
【００６２】
１  本体、２  蓋体、２０  温度センサー、２１  コイルバネ、２８  内鍋、２９  誘導加熱コイル、２９Ａ  内コイル、２９Ｂ  外コイル、３２  コイル台、３３  取付け部、３３Ａ  内取付部、３３Ｂ  中取付部、３３Ｃ  外取付部、３４  ツメ部、３５  貫通穴、３６  防磁板、３６Ａ  内防磁板、３６Ｂ  中防磁板、３６Ｃ  外防磁板、３７  貫通孔、３８  湾曲防磁板、３９  リベット、５０  炊飯器。
【図１】
2006006616.tif 000003
【図２】
2006006616.tif 000004
【図３】
2006006616.tif 000005
【図４】
2006006616.tif 000006
【図５】
2006006616.tif 000007
【図６】
2006006616.tif 000008
【図７】
2006006616.tif 000009
【図８】
2006006616.tif 000010
【図９】
2006006616.tif 000011
【図１０】
2006006616.tif 000012